(57)【特許請求の範囲】
【請求項１】
被取付面に取り付けられるベースプレートと、このベースプレートに取り付けられた保持部とを備えた小物ホルダーであって、
前記保持部には、両側面にそれぞれ取付部が設けられ、
前記ベースプレートは、合成樹脂素材を用いた長方形状の基体と、前記基体の表面の上方向に突出するように設けられ合成樹脂素材を用いた両側部と、前記基体の裏面に貼り合わせた、弾力性を有するクッションシートと強磁性体シートと滑り止め剤を塗布したマグネットシートを順に積層してなる前記被取付面への取付手段とで構成すると共に、前記両側部の内面に、前記保持部に設けられた取付部が回動可能に篏合する被取付部を、それぞれ上下方向に複数設けることにより、
前記保持部を、前記ベースプレートの両側部間における上下方向の任意の位置で、回動可能に接続することができ、
さらに、前記保持部を、前記ベースプレート側に沿う収納姿勢と小物を保持する使用姿勢とに姿勢変更自在になるよう構成したことを特徴とする小物ホルダー。
【請求項２】
ベースプレートの両側部間には、その内面に形成された、保持部を接続した被取付部以外の被取付部を用い、他の保持部も回動可能に接続可能としたことを特徴とする請求項１に記載の小物ホルダー。
【発明の詳細な説明】
【技術分野】
【０００１】
本発明は、鉛直姿勢のベースプレートと、このベースプレートに沿った収納姿勢と突出した使用姿勢とに方向転換し、使用姿勢において小物を保持する保持部とを備えた小物ホルダーに関する。
【背景技術】
【０００２】
例えば、キッチンでは、調味料を入れた容器やラップなどを入れた箱、ロール状に巻かれたキッチンペーパー、布巾のような種々の小物が使用されている。そして、これらの小物をその種類や用途に応じて個別に保持する小物ホルダーが提供されている。
【０００３】
例えば特許文献１，２に記載された小物ホルダーは、壁や冷蔵庫などの被取付面に取り付けられるベースプレートと、このベースプレートに取り付けられたトレーなどの保持部とを備え、保持部が小物を保持する使用姿勢と前記ベースプレートに沿う収納姿勢とに姿勢変更自在とされている。
【先行技術文献】
【特許文献】
【０００４】
【特許文献１】実開平５−３７１８７号公報
【特許文献２】実用新案登録第３１２２４６７号公報
【発明の概要】
【発明が解決しようとする課題】
【０００５】
従来の小物ホルダーは、それぞれの小物の用途に合った専用の構成とされている。例えば、調味料を入れた容器やラップなどを入れた箱を置くための保持部は、トレーで構成される。また、ロール状に巻かれたキッチンペーパーや布巾などを掛けるための保持部としては、複数本のアームで構成される。そのため、キッチンにおいては、様々な小物に応じた小物ホルダーが使用されている。
【０００６】
しかしながら、これら小物ホルダーは、それぞれ別々の工場や工程で製造されている場合が多く、デザインやサイズがまちまちで統一性が欠如しているため、統一性を重視したコーディネートが困難である。また、各小物に応じて個々に専用の部品を製造した小物ホルダーにあっては、製造コストが高くなる問題がある。
【０００７】
そこで、本発明は、複数種類の小物を保持する場合においても、デザインやサイズの統一性を図ることができ、また、構成部品の統一化を図ることにより、製造コストの削減も可能とした小物ホルダーを提供することを課題とする。
【課題を解決するための手段】
【０００８】
本発明に係る小物ホルダーは、被取付面に取り付けられるベースプレートと、このベースプレートに取り付けられた保持部とを備えた小物ホルダーであって、前記保持部は、複数種類の小物に応じて複数種類形成されるとともに、この複数種類から選択可能とされ、いずれも、小物を保持する使用姿勢と前記ベースプレート側に沿う収納姿勢とに姿勢変更自在とするための取付部を備え、前記ベースプレートは、選択された保持部の取付部と接続可能な一又は二以上の被取付部を備えていることを特徴としている。
【０００９】
前記本発明に係る小物ホルダーの一態様として、前記ベースプレートは、被取付面に取り付けられる取付手段を備え、前記取付手段は、マグネットシートを備えていることを特徴としている。
【００１０】
この場合、前記取付手段は、前記マグネットシートに積層された強磁性体シートと、この強磁性体シートに積層されたクッションシートとを備えていてもよい。
【発明の効果】
【００１１】
本発明によれば、複数種類の小物を置いたり掛けたりする場合であっても、デザインやサイズの統一性を図ることができ、また、構成部品の統一化を図ることにより、製造コストなどの削減も可能とした小物ホルダーを提供することができる。
【図面の簡単な説明】
【００１２】
【図１】本発明に係る小物ホルダーの第１の実施形態であって、小物ホルダーに備えられた保持部としてトレーを採用した例を示し、（ａ）はトレーが収納姿勢にある状態を正面から見た斜視図、（ｂ）はトレーが使用姿勢にある状態を正面から見た斜視図である。
【図２】本発明に係る小物ホルダーの第１の実施形態を示し、背面から見た分解斜視図である。
【図３】本発明に係る小物ホルダーの第１の実施形態であって、小物ホルダーに備えられた取付手段を示す要部拡大斜視図である。
【図４】図１（ｂ）のＩａ−Ｉａ線断面図である。
【図５】図１（ｂ）のＩｂ−Ｉｂ線断面図である。
【図６】本発明に係る小物ホルダーの第１の実施形態であって、保持部としてトレーを採用した使用例を示す斜視図である。
【図７】本発明に係る小物ホルダーの第１の実施形態であって、小物ホルダーに備えられた保持部としてフック部材を採用した例を示し、（ａ）はフック部材が収納姿勢にある状態を正面から見た斜視図、（ｂ）はフック部材が使用姿勢にある状態を正面から見た斜視図である。
【図８】本発明に係る小物ホルダーの第１の実施形態であって、小物ホルダーに備えられた保持部としてキッチンペーパーホルダー部材を採用した例を示し、（ａ）はキッチンペーパーホルダー部材が収納姿勢にある状態を正面から見た斜視図、（ｂ）はキッチンペーパーホルダー部材が使用姿勢にある状態を正面から見た斜視図である。
【図９】本発明に係る小物ホルダーの第１の実施形態であって、小物ホルダーに備えられた保持部としてタオル掛け部材を採用した例を示し、（ａ）はタオル掛けが収納姿勢にある状態を正面から見た斜視図、（ｂ）はタオル掛け部材が使用姿勢にある状態を正面から見た斜視図である。
【図１０】本発明に係る小物ホルダーの第２の実施形態であって、小物ホルダーに備えられた保持部として上下部のトレーを採用した例を示し、（ａ）は上下部のトレーが収納姿勢にある状態を正面から見た斜視図、（ｂ）は上下部のトレーが使用姿勢にある状態を正面から見た斜視図である。
【図１１】図１０（ｂ）のＩＩａ−ＩＩａ線断面図である。
【図１２】図１０（ｂ）のＩＩｂ−ＩＩｂ線断面図である。
【図１３】本発明に係る小物ホルダーの第２の実施形態であって、小物ホルダーに備えられた保持部として採用された上部のトレーなどの要部を示し、（ａ）は上部のトレーなどが収納姿勢にある断面図、（ｂ）は上部のトレーなどが収納姿勢と使用姿勢の途中にある断面図、（ｃ）は上部のトレーが使用姿勢にある断面図である。
【図１４】本発明に係る小物ホルダーの第２の実施形態であって、小物ホルダーに備えられた保持部としてトレーを採用した使用例を示す斜視図である。
【図１５】本発明に係る小物ホルダーの第２の実施形態であって、小物ホルダーに備えられた保持部としてトレーと位置決め部材とを組み合わせた小物立てを採用した例を示し、（ａ）は小物立てが収納姿勢にある状態を正面から見た斜視図、（ｂ）は小物立てが使用姿勢にある状態を正面から見た斜視図である。
【図１６】本発明に係る小物ホルダーの第２の実施形態であって、小物ホルダーに備えられた保持部としてトレーと位置決め部材とを組み合わせた小物立てを採用したときの使用例を示す正面から見た斜視図である。
【図１７】本発明に係る小物ホルダーの第２の実施形態であって、小物ホルダーに備えられた保持部としてトレーとタオル掛けの組み合わせを採用した例を示し、（ａ）はトレーおよびタオル掛け部材が収納姿勢にある状態を正面から見た斜視図、（ｂ）はトレーおよびタオル掛け部材が使用姿勢にある状態を正面から見た斜視図である。
【図１８】本発明に係る小物ホルダーの第２の実施形態であって、小物ホルダーに備えられた保持部としてトレーとフック部材との組み合わせを採用した例を示し、（ａ）はトレーおよびフック部材が収納姿勢にある状態を正面から見た斜視図、（ｂ）はトレーおよびフック部材が使用姿勢にある状態を正面から見た斜視図である。
【図１９】本発明に係る小物ホルダーの第２の実施形態であって、小物ホルダーに備えられた保持部として布巾掛け部材を採用した例を示し、（ａ）は布巾掛け部材が収納姿勢にある状態を正面から見た斜視図、（ｂ）は布巾掛け部材が使用姿勢にある状態を正面から見た斜視図である。
【図２０】本発明に係る小物ホルダーの第２の実施形態であって、小物ホルダーに備えられた保持部としてキッチンペーパーホルダーを採用した例を示し、（ａ）はキッチンペーパーホルダーが収納姿勢にある状態を正面から見た斜視図、（ｂ）は使用姿勢にある状態を正面から見た斜視図である。
【発明を実施するための形態】
【００１３】
〔第１の実施形態〕
本発明に係る小物ホルダーの第１の実施形態について図１から図９を参照して説明する。
【００１４】
第１の実施形態の小物ホルダー１は、壁面などの被取付面Ｆに取り付けられるベースプレート２と、このベースプレート２に取り付けられた保持部３とを備えている。ベースプレート２は、長方形板状の基体２０と、この基体２０の両側に突設された側部２１，２１とを備えている。さらに、ベースプレート２は、被取付面に取り付けられる取付手段２４を基体２０の裏面に備えている。保持部３は、複数種類の小物Ｓに応じて複数種類形成され、この複数種類から選択可能とされている。
【００１５】
基体２０は、ＡＢＳ樹脂などの合成樹脂素材を用いて、射出成形法等により正面視長方形状に成形されている。基体２０の裏面側の周囲には、枠部２６が突出している。
【００１６】
両側部２１，２１は、保持部３を支持する部分で、所定の間隔Ｌ１を有して基体２０前面の両側にビスなどで固定されている。この両側部２１，２１は、基体２０の上端部と下端部が中間部よりも少し飛び出るようにカーブした形態とされ、内壁２１ａ、外壁２１ｂ、上壁２１ｃ、下壁２１ｄそして前壁２１ｅを有し、ＡＢＳなどの合成樹脂により成形されている。
【００１７】
両側部２１，２１の内壁２１ａ，２１ａの少なくとも一方の端部（図面では下端部）内側面には、図５に示すように、円形に開口した被取付部２１ｇが形成されている。
【００１８】
取付手段２４は、被取付面Ｆが鉄などの強磁性体を表面側に備えられている場合において、図２および図３に示すように、磁気吸着されるマグネットシート複合材から構成されている。マグネットシート複合材２４は、被取付面Ｆ（図４，５参照）に向き合う裏面側から順に、滑り止め剤を塗布したマグネットシート２４ａと、金属製シートとしてのステンレススチール箔のような強磁性体シート２４ｂと、弾力性を有するクッションシート２４ｃとを貼り合わせた構成とされている。
【００１９】
マグネットシート２４ａは、裏面が基体２０の枠部２６内に奥まらないように埋め込まれている。クッションシート２４ｃは、両面テープや接着剤などによって基体２０の裏面に貼着される。図面では、２個の長方形状の取付手段２４が基体２０に貼着されている。しかし、取付手段２４の大きさや形状は、限定されるものではなく、単体であっても３枚以上であってもよい。いずれにしても、マグネットシート２４ａは、強磁性体を表面側に有する壁面等の被取付面Ｆに磁気吸着により固定される。
【００２０】
取付手段２４がクッションシート２４ｃを備えることで、マグネットシート２４ａが磁気吸着によって被取付面Ｆに強く当たった際の衝撃を吸収する。さらに、マグネットシート２４ａが粘着力を有するなど滑り止め加工されていることにより、滑り落ちにくいようにすることができる。そして、マグネットシート２４ａとクッションシート２４ｃとの間に挟まれた強磁性体シート２４ｂにより、マグネットシート２４ａの磁気吸着力が強化されている。なお、使用状況に応じて、クッションシート２４ｃや強磁性体シート２４ｂは、必ずしも備えなくてもよい。
【００２１】
図１ないし図６に示す小物ホルダー１の保持部３は、トレー３０である。トレー３０は、底壁３０ａと左右壁３０ｂ，３０ｂと前後壁３０ｃ，３０ｄを有し、ＡＢＳ樹脂などの合成樹脂素材を用いて、射出成形法により平面視長方形状に成形されている。
【００２２】
トレー３０の横方向（基体２０の左右方向）の長さ寸法Ｌ２は、トレー３０が両側部２１，２１間に収まるように、基体２０の両側部２１，２１の間隔Ｌ１と同等かわずかに短く設定されている。トレー３０の基部には、左右に突出する軸部（取付部）３０ｅ，３０ｅがそれぞれ設けられており、各軸部３０ｅ，３０ｅは両側部２１、２１の被取付部２１ｇに嵌合することにより取り付けられている。
【００２３】
これにより、トレー３０は、各軸部３０ｅを中心にして回動し、基体２０から水平方向に突出する使用姿勢Ａと、基体２０に沿うような上向きの収納姿勢Ｂとに姿勢変更自在とされている。
【００２４】
そして、図４に示すように、基体２０前面の下部には、凸条のストッパー部２０ａが設けられている。トレー３０の基部に設けられた後壁３０ｄの上面がストッパー部２０ａに下方から係止することにより、トレー３０は、使用姿勢Ａを維持することが可能となる。
【００２５】
ここで、第１の実施形態の小物ホルダー１を使用する方法について説明する。ここでは、トレー３０が収納姿勢Ｂとされた状態で操作を開始する。
【００２６】
先ず、ベースプレート２に貼着された取付手段２４のマグネットシート２４ａを被取付面Ｆの所定位置に磁気吸着により固定させる。このとき、取付手段２４は、マグネットシート２４ａとクッションシート２４ｃを備えているので、小物ホルダー１を勢いよく被取付面Ｆに磁気吸着した場合であっても、そのときの衝撃がクッションシート２４ｃによって和らげられるため、衝撃が殆どないソフトな感覚で取り付けることができる。
【００２７】
そして、トレー３０の上部を手前に引くとトレー３０は水平状態の使用姿勢Ａとなる。このトレー３０上には、図６に示すように、調味料などを収納した複数の小物Ｓ，Ｓが適宜載せられる。
【００２８】
本実施形態の小物ホルダー１は、取付手段２４がマグネットシート２４ａとクッションシート２４ｃとの間に強磁性体シート２４ｂを挟んだ構成として磁気吸着力を上げているので、トレー３０上に載せられる小物Ｓの耐加重値を上げることができる。しかも、マグネットシート２４ａに滑り止め剤が塗布されることによっても、小物Ｓの耐荷重値を上げることができる。
【００２９】
そして、小物ホルダー１は、収納姿勢Ｂにおいて、トレー３０が基体２０に沿うことで厚さ寸法を抑えることができ、使用しない際だけでなく、店頭における陳列時や輸送時などにおいてコンパクト化を図ることができる。したがって、この小物ホルダーは、輸送コスト、陸上輸送でのＣＯ２（注：「２」は出願時に下添え字にします）、倉庫代などを削減することができる。
【００３０】
次に、小物ホルダー１の保持部３としてフック部材３１を採用した例について図７を参照しながら説明する。なお、ベースプレート２は、保持部３としてトレー３０を使用する場合と同一構造の部品を採用する。
【００３１】
フック部材３１は両端（片方のみ図示）に軸部３１ａを有する板状の基板３１ｂと、この基板３１ｂから所定の間隔で前方に突出する複数のフック部３１ｃとを備えている。基板３１ｂの長さ寸法は、前記トレー３０の長さ寸法Ｌ２と同等、基体２０の両側部２１，２１の間隔Ｌ１と同等かわずかに短く設定されている。各軸部３１ａは、両側部２１、２１の被取付部２１ｇに嵌合されている。これにより、フック部材３１は、各軸部３１ａを中心にして回動する。すなわち、フック部材３１は、使用姿勢Ａと、収納姿勢Ｂとに姿勢変更自在に構成されている。
【００３２】
このようなフック部材３１は、図７（ｂ）に示すように、使用姿勢Ａにおいてキッチンで使用する柄付きの小物Ｓをフック部３１ｃに吊り下げておくことができる。小物Ｓをフック部３１ｃに吊り下げないときは、フック部３１ｃを基体２０に沿わせた収納姿勢Ｂとすることで、コンパクト化される。
【００３３】
次に、小物ホルダー１の保持部３としてキッチンペーパーホルダー部材３２を採用した例について図８を参照しながら説明する。なお、ベースプレート２は、保持部３としてトレー３０を使用する場合と同一構造の部品を採用する。
【００３４】
キッチンペーパーホルダー部材３２は、トレー３０やフック部材３１を取り付けた場合の基体２０を天地反転し、被取付部２１ｇが上側に位置するようにして取り付けられる。キッチンペーパーホルダー部材３２は、長尺状の基部３２ａと、基部３２ａの一端から突出したアーム３２ｂと、基部３２ａと平行になるようにアーム３２ｂの先端に固定された支持部３２ｃと、引掛けアーム３２ｅとを備えている。
【００３５】
基部３２ａおよび支持部３２ｃの長さ寸法は、前記トレー３０の長さ寸法Ｌ２と同等に設定されている。アーム３２ｂおよび引掛けアーム３２ｅの長さ寸法は、側部２１よりも短く設定されている。
【００３６】
基部３２ａの両端部には、前記被取付部２１ｇに係合して軸支される軸部３２ｄが設けられている。引掛けアーム３２ｅは、基端部を回転軸として揺動し、先端に支持部３２ｃの先端部を引っ掛ける部分（採番せず）を有している。引掛けアーム３２ｅの基端部は、基部３２ａのアーム３２ｂを有していない端部側の軸部３２ｄに軸支されている。
【００３７】
このようなキッチンペーパーホルダー部材３２は、収納姿勢Ｂ状態において、図８（ａ）に示すように、アーム３２ｂ、支持部３２ｃおよび引掛けアーム３２ｅが基体２０に沿った下向き状態となっている。そして、キッチンペーパーホルダー部材３２を使用姿勢Ａとするには、図８（ｂ）に示すように、アーム３２ｂを、軸部３２ｄを中心にして上方に回動させアーム３２ｂおよび支持部３２ｃを基体２０から離した状態とする。
【００３８】
この使用姿勢Ａにおいて、図８（ｂ）の仮想線に示すように、支持部３２ｂにロール状に巻き取られたキッチンペーパー（小物）Ｓの中空芯を挿通する。そして、引掛けアーム３２ｅの引っ掛ける部分を支持部３２ｃの先端部に引っ掛ける。また、キッチンペーパー（小物）Ｓの外周面が基体２０に接触することで、キッチンペーパーホルダー部材２０は、使用姿勢Ａを維持する。したがって、キッチンペーパーホルダー部材２０が使用されるにつれて、アーム３２ｂおよび支持部３２ｃは、基体２０に近づいていく。
【００３９】
次に、小物ホルダー１の保持部３としてタオル掛け部材３３を採用した例について図９に示す。なお、ベースプレート２は、保持部３としてトレー３０を使用する場合と同一構造の部品を採用する。
【００４０】
タオル掛け部材３３は、左右一対のアーム３３ｂ，３３ｂを有する略Ｕ字状のフレーム３３ａと、各アーム３３ｂの中途部に架け渡される連結部３３ｃとを備えている。フレーム３３ａの各アーム３３ｂの基端部には、左右に突出する軸部３３ｄがそれぞれ設けられており、各軸部３３ｄは被取付部２１ｇ（図５参照）にそれぞれ嵌合されている。
【００４１】
これにより、タオル掛け部材３３は、各軸部３３ｄを中心にして、図９（ｂ）に示すように基体２０から水平方向に突出する使用姿勢Ａと、図９（ａ）に示すように基体２０に沿うような上向きの収納姿勢Ｂとに姿勢変更自在に構成されている。使用姿勢Ａの小物置き部材３３上には、小物Ｓ（図示せず）が置かれたり、フレーム３３ａや連結部３３ｃに布巾（小物）Ｓ（図示せず）が掛けられたりする。タオル掛け部材３３が収納姿勢Ｂとされることで、コンパクトに収納することができる。
【００４２】
以上のように、第１の実施形態は、同一構造のベースプレート２に対して、保持部３としてトレー３０、フック部材３１、ホルダー部材３２および載置部材３３のいずれかを選択して取り付けて製造することが可能である。このため、任意の保持部３において同一構造のベースプレート２を兼用することが可能となり、保持部３の種類に応じて専用のベースプレート２を製造する場合に比し、商品コストの削減を図ることができる。
【００４３】
また、第１の実施形態の周用具１をキッチンなどで使用する際には、同一構造のベースプレート２を使用しているため、使用者が所望する複数種類の保持部３を使用しても、デザインやサイズが統一されるため、洗練されたコーディネートを演出することができる。このように、共通のベースプレート２を採用することで、複数種類の商品として展開した際に、シリーズ性のある商品でることが容易に認知することができ、商品価値を向上することができる。さらに、構成部品を統一することで、パッケージの共有も含めて製造コストを削減することができる。
【００４４】
〔第２の実施形態〕
本発明に係る小物ホルダー１の第２の実施形態について図１０から図２０を参照して説明する。なお、第１の実施形態に係る小物ホルダー１と同一部材は、同一符号を付して説明する。
【００４５】
第２の実施形態の小物ホルダー１は、第１の実施形態と同様、ベースプレート２と、保持部３とを備えて構成されている。ただし、第２の実施形態の小物ホルダー１の保持部３は、図１０から図１４に示すように、上部と下部の２段のトレー３０Ａ，３０を備えている。
【００４６】
そのため、第２の実施形態のベースプレート２は、第１の実施形態のベースプレート２よりも高さ方向において長くされている。また、ベースプレート２の両側部２１の上部内側面には、図１３に示すような上部の被取付部２１ｈが形成されている。上部の被取付部２１ｈは、円形に開口した軸穴部２１ｉと長孔の係止部２１ｊとを連続させた鉤穴形状とされている。
【００４７】
上部のトレー３０Ａは、下部のトレー３０よりも短く突出した姿勢になるように、使用姿勢Ａでの奥行方向が短くされている。上部のトレー３０Ａは、基体２０から水平方向に突出する使用姿勢Ａと、下向きになって基体２０に沿う収納姿勢Ｂとに姿勢変更自在とするため、左右に突出する軸部（取付部）３０ｆ，３０ｆを基端部に備えている。この軸部３０ｆ，３０ｆは、平行な一対の長辺部を有する長円形に形成されている。軸部３０ｆ,３０ｆの一対の長辺部の間隔は、上部の被取付部２１ｈの長孔の係止部２１ｊの幅と同じとされている。
【００４８】
下部のトレー３０は、第１の実施形態のトレー３０と同様に軸部３０ｅが両側部２１、２１の下部に設けられた被取付部２１ｇに回動可能に嵌合されている。これにより、下部のトレー３０は、軸部３０ｅを中心にして、基体２０から水平方向に突出する使用姿勢Ａと、上向きの収納姿勢Ｂとに姿勢変更自在に回動自在とされている。
【００４９】
そして、収納姿勢Ｂでは、図１０（ａ）に示すように、上向きとなった下部のトレー３０が下向きとなった上部のトレー３０Ａを覆う状態とされる。したがって、この小物ホルダー１は、２枚のトレー３０Ａ，３０を備えていてもコンパクトに収納することができる。
【００５０】
そして、使用姿勢Ａでは、図１０（ｂ）から図１２に示すように、下部のトレー３０と上部のトレー３０Ａが基体２０から突出した姿勢とされ、図１４に示すようにそれぞれのトレー３０，３０Ａの大きさに適した小物Ｓが載せられる。
【００５１】
上部のトレー３０Ａは、収納姿勢Ｂにおいて図１３（ａ）に示すように、軸部３０ｆが上部の被取付部２０ｈの軸穴部２１ｉ内で横向きになっているが、水平姿勢とされると、図１３（ｂ）に示すように、軸部３０ｆが上部の被取付部２０ｈ内で縦向きとなり、使用姿勢Ａとされると、図１３（ｃ）に示すように、軸部３０ｆが下降して係止部２１ｊ内に嵌り込む。
【００５２】
次に、小物ホルダー１の保持部３としてトレー３０と位置決め部材３５とを組み合わせた小物立を採用した例について図１５および図１６を参照しながら説明する。
【００５３】
この保持部３は、ベースプレート２の下部にトレー３０を備え、ベースプレート２の上部に位置決め部材３５を備えている。トレー３０も位置決め部材３５も、水平方向に基体２０から突出した使用姿勢Ａと上向きに基体２０に沿う収納姿勢Ｂとに姿勢変更自在に回動可能とされている。
【００５４】
位置決め部材３５には、複数の挿通開口３５ａが枠体によって区画形成されている。このような小物立てとして使用する保持部３は、図１６に示すように、縦長の小物Ｓを位置決め部材３５の挿通開口３５ａに挿通させた状態で、トレー３０に載せることができる。
【００５５】
収納姿勢Ｂにおいて、トレー３０は上向きとなって基体２０に沿い、位置決め部材３５は下向きとなって基体２０に沿い、トレー３０の先端縁と位置決め部材３５の先端縁とが向き合うようにされている。したがって、この小物ホルダー１は、トレー３０と位置決め部材３５とを備えていても、コンパクトに収納することができる。
【００５６】
次に、小物ホルダー１の保持部３として上側のトレー３０と下側のタオル掛け部材３６とを組み合わせた例について図１７を参照しながら説明する。
【００５７】
タオル掛け部材３６は、左右一対のアーム部３６ａと、アーム部３６ａの先端部に連結される吊り下部３６ｂとによって略Ｕ字状に形成されている。
【００５８】
そして、各アーム部３６ａの基端部には、軸部３６ｃが設けられている。この軸部３６ｃが両側部２１の被取付部２１ｇに回動可能に嵌合されている。これにより、タオル掛け部材３６は、各軸部３３ｄを中心にして、基体２０から水平姿勢に突出する使用姿勢Ａと、基体２０に沿う収納姿勢Ｂとに姿勢変更自在に回動する。収納姿勢Ｂのタオル掛け部材３６の先端縁がトレー３０の基端部に向き合うように、タオル掛け部材３６のアーム部３６ａの長さが設定されている。
【００５９】
トレー３０は、ベースプレート２の両側部２１，２１の上下方向の略中間部に設けられている。そのため、両側部２１，２１の中間部には、被取付部としての中段支持開口２１ｊが形成されている。そして、中段支持開口２１ｊにはトレー３０の各軸部３０ｅが嵌合している。
【００６０】
これにより、トレー３０は、各軸部３０ｅを中心にして、水平方向に基体２０から突出した使用姿勢Ａと、上向きに基体２０に沿った収納姿勢Ｂとに姿勢変更自在に回動する。したがって、この小物ホルダー１は、トレー３０とタオル掛け部材３６とを備えていても、コンパクトに収納することができる。
【００６１】
次に、小物ホルダー１の保持部３として上側のトレー３０と下側のフック部材３７とを組み合わせた例について図１８を参照しながら説明する。
【００６２】
フック部材３７は軸部３７ｂを有する基部３７ａと、基部３７ａから突出した複数のフック部３７ｃとを備えている。フック部材３７は、各軸部３３ｄを中心にして、フック部３７ｃが基部２０から水平姿勢に突出する使用姿勢Ａと、基部２０に沿う収納姿勢Ｂとに姿勢変更自在に回動する。収納姿勢Ｂにおいて、上向きとなったフック部３７ｃの先端部とトレー３０の基端縁とが向き合うようにされている。
【００６３】
トレー３０は、ベースプレート２の両側部２１，２１の上下方向の略中間部に設けられている。そのため、両側部２１，２１の中間部には、被取付部としての中段支持開口２１ｊが形成されている。そして、中段支持開口２１ｊにはトレー３０の各軸部３０ｅが嵌合している。
【００６４】
これにより、トレー３０は、各軸部３０ｅを中心にして、水平方向に基体２０から突出した使用姿勢Ａと、上向きに基体２０に沿う収納姿勢Ｂとに姿勢変更自在に回動する。したがって、この小物ホルダー１は、トレー３０とタオル掛け部材３６とを備えていても、収納姿勢Ｂにおいてコンパクトに収納することができる。
【００６５】
次に、小物ホルダー１の保持部３として布巾掛け部材３８を採用した例について図１９を参照しながら説明する。
【００６６】
布巾掛け部材３８は、一方の側部２１の上部の被取付部２１ｈおよび下部の被取付部２１ｇに嵌合される基部３８ａと、基部３８ａから水平方向に回動自在に設けられた複数の掛け部３８ｂとを備えている。
【００６７】
各掛け部３８ｂは上下方向に所定間隔を有して配置されており、それぞれが、図１９（ｂ）に示すように、基体２０から異なる角度（図示しないが同じ角度でもよい。）で突出した使用姿勢Ａと、図１９（ａ）に示すように、基体２０に沿う収納姿勢Ｂとに姿勢変更自在に水平に回動自在とされている。この小物ホルダー１は、収納姿勢Ｂにおいて布巾掛け部材３８をコンパクトに収納することができる。
【００６８】
次に、小物ホルダー１の保持部３としてキッチンペーパーホルダー部材３２を採用した例について図２０を参照しながら説明する。
【００６９】
キッチンペーパーホルダー部材３２は、図８で示した第１の実施形態と同じ基本構成とされ、両側部２１，２１に軸支される基部３２ａと、基部３２ａの一端から突出したアーム３２ｂと、基部３２ａと平行になるようにアーム３２ｂの先端に固定された支持部３２ｃとを備えている。
【００７０】
このキッチンペーパーホルダー部材３２は、アーム３２ｂが斜め下方に傾斜した使用姿勢Ａと基体２０に沿う収納姿勢Ｂとに回動可能とされている。このアーム３２ｂは、アーム３２ｂに対する軸部３２ｄの角度を適宜設定することにより、所望の角度に傾斜させ、キッチンペーパーを掛けることができる。また、この小物ホルダー１は、アーム３２ｂを基体２０に沿わせた収納姿勢Ａとすることで、コンパクトに収納することができる。
【００７１】
以上のように、第２の実施形態においても、同一構造のベースプレート２に対して、保持部３として複数のトレー３０、タオル掛け部材３６、フック部材３１、布巾掛け部材３８およびホルダー部材３２の何れかを複数個または単数選択して取り付けて製造することが可能である。第２の実施形態に係る小物ホルダー１も、複数種類の保持部３のデザインやサイズが統一性を有し、構成部品が共通化されることで、製造コストを削減することができるだけでなく、パッケージを共有することもできる。さらに、この第２の実施形態に係る小物ホルダー１も、輸送コスト、陸上輸送でのＣＯ２、倉庫代を削減することができる。
【００７２】
〔その他の実施形態〕
本発明は、第１、第２の実施形態に限定されるものではない。ベースプレート２の大きさや形状は、使用される場所や用途に応じて適宜設計変更可能である。また、保持部３も用途に応じて任意の種類ものが採用可能である。したがって、第１、第２実施形態の小物ホルダーは、キッチンで使用する場合以外の洗面所や風呂場など任意の場所に適した保持部を採用することができる。
【００７３】
また、第１、第２の実施形態では、取付手段２４として、マグネットシート２４ａを備えたが、マグネットシート２４ａに替え、あるいはマグネットシート２４ａとともに、両面接着シートや接着剤、あるいはビスなどによって被取付面Ｆに取り付けられるようにしてもよい。
【符号の説明】
【００７４】
１          小物ホルダー
２          ベースプレート
３          保持部
２０        基体
２１        側部
２１ｇ      被取付部
２１ｈ      被取付部
２４        取付手段
２４ａ      マグネットシート
２４ｂ      強磁性体シート
２４ｃ      クッションシート
３０        トレー
３０ｅ      軸部（取付部）
３１        フック部材
３１ａ      軸部（取付部）
３２        ホルダー部材
３２ｄ      軸部（取付部）
３３        タオル掛け
３５        位置決め部材
３６        タオル掛け部材
３７        フック部材
３８        布巾掛け部材
Ａ          使用姿勢
Ｂ          収納姿勢
Ｆ          被取付面
Ｓ          小物
【図１】
0006747854.tif 000002
【図２】
0006747854.tif 000003
【図３】
0006747854.tif 000004
【図４】
0006747854.tif 000005
【図５】
0006747854.tif 000006
【図６】
0006747854.tif 000007
【図７】
0006747854.tif 000008
【図８】
0006747854.tif 000009
【図９】
0006747854.tif 000010
【図１０】
0006747854.tif 000011
【図１１】
0006747854.tif 000012
【図１２】
0006747854.tif 000013
【図１３】
0006747854.tif 000014
【図１４】
0006747854.tif 000015
【図１５】
0006747854.tif 000016
【図１６】
0006747854.tif 000017
【図１７】
0006747854.tif 000018
【図１８】
0006747854.tif 000019
【図１９】
0006747854.tif 000020
【図２０】
0006747854.tif 000021